(57)【特許請求の範囲】
【請求項１】
第１無線接続網から第２無線接続網へのハンドオーバー時に、前記第１無線接続網の第１網要素でのハンドオーバー管理方法において、
ユーザ端末（ＵＥ）から測定報告を受信し、
前記測定報告を基に前記ユーザ端末に対して前記第１無線接続網から第２無線接続網へのハンドオーバー（ＨＯ）実行を決定し、
ターゲットセルがサーキット交換網だけをサポートするか、またはサーキット交換網及びパケット交換網の両方をサポートするかを通知するハンドオーバー指示子を生成し、
前記ハンドオーバー指示子を含むハンドオーバー要求メッセージ及び位置再確認要求メッセージのうち少なくとも１つをコア網要素に伝送することを含む方法。
【請求項２】
前記第１無線接続網は、少なくともパケット交換網であり、前記第２無線接続網は、少なくともサーキット交換網であることを特徴とする請求項１に記載の方法。
【請求項３】
前記第１無線接続網の第１網要素は、ｅＮｏｄｅＢ、ＮｏｄｅＢ、及び無線網制御機（ＲＮＣ）のうち少なくとも１つであることを特徴とする請求項１に記載の方法。
【請求項４】
第１無線接続網から第２無線接続網へのハンドオーバー時に、コア網でのハンドオーバー管理方法において、
ターゲットセルがサーキット交換網だけをサポートするか、またはサーキット交換網及びパケット交換網の両方をサポートするかを通知するハンドオーバー指示子を含むハンドオーバー要求メッセージ及び位置再確認要求メッセージのうち少なくとも１つを受信し、
前記ハンドオーバー指示子を基に音声ベアラーと非音声ベアラーを分離し、
前記音声ベアラーと非音声ベアラーに対するハンドオーバーを管理することを特徴とする方法。
【請求項５】
前記音声ベアラーに対してパケット交換からサーキット交換へのハンドオーバーを開始することをさらに含み、前記音声ベアラーは、前記第１無線接続網内のパケット交換網と連結され、前記音声ベアラーは、前記第２無線接続網内のサーキット交換網と連結されることを特徴とする請求項４に記載の方法。
【請求項６】
前記音声ベアラーに対してパケット交換からサーキット交換へのハンドオーバーを開始し、前記非音声ベアラーに対してパケット交換からパケット交換へのハンドオーバーを開始することを含み、前記音声ベアラー及び非音声ベアラーは、第１無線接続網のパケット交換網と連結され、前記音声ベアラーは、前記第２無線接続網のサーキット交換網と連結され、前記非音声ベアラーは、前記第２無線接続網のパケット交換網と連結されることを特徴とする請求項４に記載の方法。
【請求項７】
前記第１無線接続網から第２無線接続網へ音声ベアラーのハンドオーバーを継続し、 前記ハンドオーバー指示子を基に前記非音声ベアラーの使用中止及び不活性化のうち少なくとも１つを行うことをさらに含むことを特徴とする請求項４に記載の方法。
【請求項８】
前記コア網要素は、移動性管理エンティティー（ＭＭＥ）及びサービング一般パケット無線サービスサポートノード（Ｓｅｒｖｉｎｇ  ＧＰＲＳ  Ｓｕｐｐｏｒｔ  Ｎｏｄｅ；ＳＧＳＮ）のうち少なくとも１つであることを特徴とする請求項４に記載の方法。
【請求項９】
測定報告を基にユーザ端末（ＵＥ）に対する第１無線接続網から第２無線接続網へのハンドオーバー（ＨＯ）を決定し、ターゲットセルがサーキット交換網だけをサポートするか、またはサーキット交換網及びパケット交換網の両方をサポートするかを通知するハンドオーバー要求メッセージ及び位置再確認要求メッセージのうち少なくとも１つを生成するプロセッサと、
前記ユーザ端末から測定報告を受信し、前記ハンドオーバー要求メッセージ及び位置再確認要求メッセージのうち少なくとも１つをコア網要素に伝送する送受信機と、を含む 第１無線接続網の第１網要素。
【請求項１０】
前記第１無線接続網は、少なくともパケット交換網であり、前記第２無線接続網は、少なくともサーキット交換網であることを特徴とする請求項９に記載の第１網要素。
【請求項１１】
前記第１無線接続網の第１網要素は、ｅＮｏｄｅＢ、ＮｏｄｅＢ、及び無線網制御機（ＲＮＣ）のうち少なくとも１つであることを特徴とする請求項９に記載の第１網要素。
【請求項１２】
第１無線接続網から第２無線接続網へのハンドオーバー時に、ターゲットセルがサーキット交換網だけをサポートするか、またはサーキット交換網及びパケット交換網の両方をサポートするかを通知するハンドオーバー指示子を含むハンドオーバー要求メッセージ及び位置再確認要求メッセージのうち少なくとも１つを受信する送受信機と、
前記ハンドオーバー指示子を基に音声ベアラーと非音声ベアラーを分離し、前記音声ベアラーと非音声ベアラーに対するハンドオーバーを管理するプロセッサと、を含むコア網要素。
【請求項１３】
前記プロセッサは、音声ベアラーに対するパケット交換からサーキット交換へのハンドオーバーを開始し、前記音声ベアラーは、前記第１無線接続網のパケット交換網に連結され、前記音声ベアラーは、前記第２無線接続網のサーキット交換網に連結されることを特徴とする請求項１２に記載のコア網要素。
【請求項１４】
前記プロセッサは、前記音声ベアラーに対してパケット交換からサーキット交換へのハンドオーバーと、前記非音声ベアラーに対してパケット交換からパケット交換へのハンドオーバーを開始し、前記音声ベアラー及び非音声ベアラーは、第１無線接続網のパケット交換網と連結され、前記音声ベアラーは、前記第２無線接続網のサーキット交換網と連結され、前記非音声ベアラーは、前記第２無線接続網のパケット交換網と連結されることを特徴とする請求項１２に記載のコア網要素。
【請求項１５】
前記プロセッサは、前記第１無線接続網から第２無線接続網への音声ベアラーに対するハンドオーバーを継続し、前記ハンドオーバー指示子を基に非音声ベアラーの使用中止及び不活性化のうち少なくとも１つを行うことをを特徴とする請求項１２に記載のコア網要素。
【請求項１６】
前記コア網要素は、移動性管理エンティティー（ＭＭＥ）及びサービング一般パケット無線サービスサポートノード（Ｓｅｒｖｉｎｇ  ＧＰＲＳ  Ｓｕｐｐｏｒｔ  Ｎｏｄｅ；ＳＧＳＮ）のうち少なくとも１つであることを特徴とする請求項１２に記載のコア網要素。
【請求項１７】
第１無線接続網から第２無線接続網へのハンドオーバー管理方法において、
前記第１無線接続網の第１網要素により、ユーザ端末が伝送した測定報告を受信し、
前記第１網要素により、測定報告を基に前記ユーザ端末に対する第１無線接続網から第２無線接続網へのハンドオーバー実行を決定し、
前記第１網要素により、ターゲットセルがサーキット交換網だけをサポートするか、またはサーキット交換網及びパケット交換網の両方をサポートするかを通知するハンドオーバー指示子を生成し、前記ハンドオーバー指示子を含むハンドオーバー要求メッセージ及び位置再確認要求メッセージのうち少なくとも１つをコア網要素に伝送し、
前記第２無線接続網のコア網要素により、前記ハンドオーバー指示子を基に音声ベアラーと非音声ベアラーを分離し、
前記コア網要素により、前記音声ベアラーと非音声ベアラーに対するハンドオーバーを管理することを含むことを特徴とする方法。
【請求項１８】
前記コア網要素により、前記音声ベアラーに対するパケット交換からサーキット交換へのハンドオーバーを開始することを含み、前記音声ベアラーは、第１無線接続網のパケット交換網と連結され、前記音声ベアラーは、前記第２無線接続網のサーキット交換網と連結されることを特徴とする請求項１７に記載の方法。
【請求項１９】
前記コア網要素により、前記音声ベアラーに対してパケット交換からサーキット交換へのハンドオーバーと、前記非音声ベアラーに対してパケット交換からパケット交換へのハンドオーバーを開始することをさらに含み、前記音声ベアラー及び非音声ベアラーは、第１無線接続網のパケット交換網と連結され、前記音声ベアラーは、前記第２無線接続網のサーキット交換網と連結され、前記非音声ベアラーは、前記第２無線接続網のパケット交換網と連結されることを特徴とする請求項１７に記載の方法。
【請求項２０】
前記コア網要素により、前記音声ベアラーに対して前記第１無線接続網から第２無線接続網へのハンドオーバーを継続し、前記非音声ベアラーの使用中止及び不活性化のうち少なくとも１つを行うことをさらに含むことを特徴とする請求項１７に記載の方法。
【請求項２１】
第１無線接続網から第２無線接続網へのハンドオーバーを管理する網において、
ユーザ端末から測定報告を受信し、前記測定報告を基に前記ユーザ端末に対する第１無線接続網から第２無線接続網へのハンドオーバー実行を決定し、ターゲットセルがサーキット交換網だけをサポートするか、またはサーキット交換網及びパケット交換網の両方をサポートするかを通知するハンドオーバー指示子を生成し、前記ハンドオーバー指示子を含むハンドオーバー要求メッセージ及び位置再確認要求メッセージのうち少なくとも１つをコア網要素に伝送する第１網要素と、
前記ハンドオーバー指示子を含むハンドオーバー要求メッセージ及び位置再確認要求メッセージのうち少なくとも１つを受信し、前記ハンドオーバー指示子を基に音声ベアラーと非音声ベアラーを分離し、前記音声ベアラーと非音声ベアラーに対するハンドオーバーを管理するコア網要素と、を含む網。
【請求項２２】
前記コア網要素は、音声ベアラーに対してパケット交換からサーキット交換へのハンドオーバーを開始し、前記音声ベアラーは、前記第１無線接続網のパケット交換網と連結され、前記音声ベアラーは、前記第２無線接続網内のサーキット交換網と連結されることを特徴とする請求項２１に記載の網。
【請求項２３】
前記コア網要素は、前記音声ベアラーに対してパケット交換からサーキット交換へのハンドオーバーと、前記非音声ベアラーに対してパケット交換からパケット交換へのハンドオーバーを開始し、前記音声ベアラー及び非音声ベアラーは、第１無線接続網のパケット交換網と連結され、前記音声ベアラーは、前記第２無線接続網のサーキット交換網と連結され、前記非音声ベアラーは、前記第２無線接続網のパケット交換網と連結されることを特徴とする請求項２１に記載の網。
【請求項２４】
前記コア網要素は、前記第１無線接続網から第２無線接続網への音声ベアラーに対するハンドオーバーを継続し、前記ハンドオーバー指示子を基に非音声ベアラーの使用中止及び不活性化のうち少なくとも１つを行うことを特徴とする請求項２１に記載の網。
【発明の詳細な説明】
【技術分野】
【０００１】
本発明は、無線接続網（Radio Access Network；ＲＡＮ）での通信管理に関する。さらに詳細には、本発明は、多数の無線接続網でのハンドオーバー（Ｈａｎｄｏｖｅｒ；ＨＯ）管理に関する。
【背景技術】
【０００２】
近年、多くの世代にわたった無線通信システムが発展して来た。多くの世代の無線通信システムというのは、１世代システム（１Ｇ）、２世代システム（２Ｇ）、３世代システム（３Ｇ）及び４世代システム（４Ｇ）を含む。各世代の通信技術は、異なる伝送特性及び通信技術を有する。
【０００３】
例えば、Ａｄｖａｎｃｅｄ  Ｍｏｂｉｌｅ  Ｐｈｏｎｅ  Ｓｙｓｔｅｍ（ＡＭＰＳ）とＴｏｔａｌ  Ａｃｃｅｓｓ  Ｃｏｍｍｕｎｉｃａｔｉｏｎｓ  Ｓｙｓｔｅｍ（ＴＡＣＳ）のような１世代システム（１Ｇ）は、アナログ周波数変調技術を基盤とする。また、例えば、Ｇｌｏｂａｌ  Ｓｙｓｔｅｍ  ｆｏｒ  Ｍｏｂｉｌｅ  ｃｏｍｍｕｎｉｃａｔｉｏｎ（ＧＳＭ）のような２世代システムは、時分割多重接続（Time Division Multiple Access；ＴＤＭＡ）を基盤とする。３世代システムは、広帯域コード分割多重接続（Wideband Code Division Multiple Access；ＷＣＤＭＡ）を基盤とする。３世代（３Ｇ）システムの例として、汎用移動通信システム（Universal Mobile Telecommunication System；ＵＭＴＳ）とＧＳＭ  Ｅｖｏｌｕｔｉｏｎ（ＥＤＧＥ）を挙げることができる。
【０００４】
４世代（４Ｇ）システムは、広帯域移動性能のために開発されているＩＴＵ標準による。４Ｇシステムは、３Ｇと比べて高速でインターネットプロトコル（ＩＰ）パケット基盤の音声データ及びストリーミングマルチメディアサービスを可能にする。また、無線通信システムは、無線接続網（Radio Access Network；ＲＡＮ）という用語で表現される。無線接続網の数が増加するにつれて、与えられた地理的領域が１つまたはそれ以上の無線接続網によってサービスされる。例えば、２つの無線接続網が、例えば、２Ｇと３Ｇシステムが、１つの与えられた地理的領域で同時に動作することができる。また、或る地域では、ただ１つの無線接続網（例えば、３Ｇ網）が動作することもできる。
【０００５】
無線接続網（例えば、ＧＭＳ、ＵＭＴＳ、無線地域網（Wireless Local Area Network；ＷＬＡＮ）、及びＥＤＧＥ）の数が増加するにつれて、異なる無線接続網間の相互動作及び無線インターフェースに対する標準の重要性が優先事項となる。したがって、異なる無線接続網間の効率的な相互動作とユーザ端末（User Equipment；ＵＥ）に対する網カバレージを確保するために、無線接続網と通信網間のハンドオーバー手続が重要になっている。ハンドオーバー（Handover；ＨＯ）手続は、進行中の呼の連続性を保障しつつ、１つの基地局（または通信システム）のカバレージ領域から他の基地局（または他の通信システム）へ進行中の呼を切り替える手続である。
【発明の概要】
【発明が解決しようとする課題】
【０００６】
通信システムにおいてＨＯは、ＵＥが通信システムがサポートする１つのセルから通信システムがサポートする他の無線セルに移動する時に発生する。２Ｇを例に取れば、１つのサービスプロバイダと関連した基地局のカバレージ領域から同一または異なるサービスプロバイダによってサポートされる他の基地局に移動する時に発生する。異なるＲＡＮ間のＨＯは、例えば３Ｇから４Ｇへの移動、及びその逆である相互技術のハンドオーバーを意味する。異なるＲＡＮ間のＨＯは、中間層ＨＯとして知られている。
【０００７】
異なるＲＡＮは、異なる性能があり、ＵＥに通信サービスを与える異なる通信網である。１つのＲＡＮから他のＲＡＮへのＨＯ手続は、効率的に管理されなければならない。例えば、第１ＲＡＮにおいてＵＥと連関されている音声ベアラー（Bearer）と非音声ベアラーは、パケット交換網及び／またはサーキット交換網を通じてサポートされることができる。また、ＵＥが第１ＲＡＮから第２ＲＡＮに移動してＨＯ手続が開始される時、第２ＲＡＮが第１ＲＡＮと異なる性能を有する場合があり得る。この際、端末と関連した音声ベアラー及び非音声ベアラーは、第２ＲＡＮの性能を基に効率的に管理されなければならない。
したがって、無線接続網（ＲＡＮ）においてＨＯ要請を効率的に管理する必要が存在する。
【課題を解決するための手段】
【０００８】
一実施例において、第１無線接続網から第２無線接続網へのハンドオーバーを管理するための方法が提供される。前記方法は、第１無線接続網の第１網要素によって行われる。前記方法は、ユーザ端末（User Equipment；ＵＥ）から１つまたはそれ以上の隣接セルと関連した情報を受信することを含む。一実施例において、前記１つまたはそれ以上の隣接セルと関連した情報は、測定報告である。前記方法は、測定報告を基に端末に対して第１無線接続網から第２無線接続網へのＨＯ実行を決定する。第１無線接続網は、少なくともパケット交換網であり、第２無線接続網は、少なくともサーキット交換網である。さらに、前記方法は、測定報告に対して条件的に１つまたはそれ以上の隣接セルからの第２無線接続網内のターゲットセルを識別する。その後、前記方法、ターゲットセルの性能を判断する。また、前記方法は、ハンドオーバー要求メッセージ及び位置再確認要求メッセージのうち少なくとも１つをターゲットセル性能とともにコア網に伝送する。
【０００９】
他の実施例において、第１無線接続網から第２無線接続網へのハンドオーバー（ＨＯ）を管理するための方法が提供される。前記方法は、ハンドオーバー要求メッセージ及び位置再確認要求メッセージのうち少なくとも１つをターゲットセル能力とともに受信する。また、前記方法は、音声ベアラーと非音声ベアラーを分離する。その後、前記方法は、ターゲットセルの性能を基に音声ベアラーと非音声ベアラーのためのＨＯを管理する。
【００１０】
さらに他の実施例において、第１無線接続網から第２無線接続網へのハンドオーバー（ＨＯ）のための方法が提供される。前記方法は、第１無線接続網の第１網要素で行われる。前記方法は、ユーザ端末（ＵＥ）から１つまたはそれ以上の隣接セルと関連した情報を受信することを含む。一実施例において、前記１つまたはそれ以上の隣接セルと関連した情報は、測定報告である。その後、前記方法は、前記測定報告を基にＵＥに対して第１無線接続網から第２無線接続網へのハンドオーバー（ＨＯ）実行を決定する。前記第１無線接続網は、少なくともパケット交換（ＰＳ）網であり、前記第２無線接続網は、少なくともサーキット交換（ＣＳ）網である。その後、前記方法は、測定報告に対して条件的に１つまたはそれ以上の隣接セルから第１無線接続網内のターゲットセルを識別する。また、前記方法は、ターゲットセルの性能を判断する。ターゲットセル性能の判断後、前記方法は、ＨＯがターゲットセル性能を基に行われるようにするために、ベアラーのリストを決定する。その後、前記方法は、ベアラーリストに対してＨＯ手続を行うようにベアラーリストをコア網に伝送する。
【００１１】
さらに他の実施例において、第１無線接続網から第２無線接続網へのハンドオーバー（ＨＯ）要請を管理するための方法が提供される。前記方法は、コア網要素で行われる。前記方法は、データベース内に１つまたはそれ以上のセルに対する性能を維持することを含む。前記方法は、第１無線接続網から第２無線接続網への端末（ＵＥ）に対するハンドオーバーを行うために、ＨＯ要求メッセージ及び位置再確認要求メッセージのうち少なくとも１つを受信する。前記ハンドオーバー要求メッセージ及び位置再確認メッセージのうち少なくとも１つは、ターゲットセルと関連した情報を含む。また、前記ターゲットセル性能は、前記データベース内に維持されている１つまたはそれ以上のセルの性能から識別される。その後、前記方法は、前記ターゲットセル性能を基に音声ベアラー及び非音声ベアラーのためのＨＯを管理する。
【００１２】
さらに他の実施例において、第１無線接続網の第１網要素が提供される。前記第１網要素は、１つのプロセッサと１つの送受信機を含む。前記第１網要素の送受信機は、ユーザ端末（ＵＥ）から１つまたはそれ以上の隣接セルと関連した情報を受信する。一実施例において、前記１つまたはそれ以上の隣接セルと関連した情報は、１つまたはそれ以上の隣接セル及びＵＥに関連した測定報告である。前記第１網要素のプロセッサは、前記測定報告を基にユーザ端末（ＵＥ）に対して第１無線接続網から第２無線接続網へのハンドオーバー（ＨＯ）実行を決定する。また、前記プロセッサは、前記測定報告によって提供される１つまたはそれ以上の隣接セルから第１無線接続網内のターゲットセルを識別する。また、前記プロセッサは、ターゲットセルの性能を判断する。また、前記送受信機は、ターゲットセル性能とともにハンドオーバー要求メッセージ及び位置再確認要求メッセージのうち少なくとも１つを伝送することができる。一実施例において、前記送受信機は、ハンドオーバー要求メッセージ及び位置再確認要求メッセージのうち少なくとも１つとともにベアラーリストを伝送する。
【００１３】
さらに他の実施例において、コア網要素が提供される。前記コア網要素は、１つの送受信機と１つのプロセッサを含む。前記コア網要素の送受信機は、ターゲットセル性能とともにハンドオーバー要求メッセージ及び位置再確認要求メッセージのうち少なくとも１つを受信する。前記コア網要素のプロセッサは、音声ベアラーと非音声ベアラーを分離する。また、前記プロセッサは、ターゲットセル性能を基に音声ベアラーと非音声ベアラーに対するハンドオーバー（ＨＯ）を管理する。
【００１４】
さらに他の実施例において、コア網要素が提供される。前記コア網要素は、１つのメモリ、１つの送受信機、及び１つのプロセッサを含む。前記コア網要素のメモリは、１つまたはそれ以上のセルに対する性能をデータベースに保存する。前記送受信機は、第１無線接続網から第２無線接続網へのＨＯ実行のためにターゲットセルと関連した情報とともにハンドオーバー（ＨＯ）要求メッセージ及び位置再確認要求メッセージのうち少なくとも１つを受信する。前記プロセッサは、前記データベースからターゲットセルと関連した性能を識別する。また、前記プロセッサは、前記ターゲットセル性能を基に音声ベアラーと非音声ベアラーのためのＨＯを管理する。
【００１５】
本発明の特徴と長所は、添付の図面とともに本発明の詳細な説明によりさらに明確になるだろう。
【００１６】
添付の図面において、同一または機能的に同様の構成要素は、同様の参照番号として参照されることができる。これらの参照番号は、様々な実施例を説明し、本発明の多様な側面と長所を説明するために詳細な説明の全般にわたって使用される。
【図面の簡単な説明】
【００１７】
【図１】本発明の様々な実施例が実施されることができる一例の環境を示す図である。
【図２】本発明の一実施例による第１無線接続網２００の第１網要素を示す図である。
【図３】本発明の一実施例によるコア網要素を示す図である。
【図４】本発明の一実施例による第１無線接続網から第２無線接続網へのハンドオーバーを管理する方法を示すフローチャートである。
【図５】本発明の一実施例による第１無線接続網から第２無線接続網へのハンドオーバーを管理する方法を示すフローチャートである。
【図６】本発明の他の実施例による第１無線接続網から第２無線接続網へのハンドオーバーを管理する方法を示すフローチャートである。
【図７】本発明のさらに他の実施例による第１無線接続網から第２無線接続網へのハンドオーバーを管理する方法を示すフローチャートである。
【図８】本発明の一実施例による第１無線接続網から第２無線接続網へのハンドオーバーを管理するための方法を示すシグナルフローダイアグラムである。
【発明を実施するための形態】
【００１８】
当業者なら図面上の要素が単純明確な説明のために示されていて、正確なスケールで図示されなくてもよいことを理解することができる。例えば、図面において、構成要素の寸法は、本発明の様々な実施例の理解を助けるために他の構成要素に比べて相対的に誇張されて図示されることができる。
【００１９】
様々な実施例を説明するために使用される用語は、例示的な用語である。これらの用語は、単に説明の理解を助けるために提供され、その使用及び定義は、本発明の範囲を制限しないことを理解すべきである。第１、第２などの用語は、同一の用語を有する対象を区別するために使用され、別途の言及がない限り、時系列を示すための意図で使用されるものではない。集合（set）は、少なくとも１つの要素を含む非空集合として定義される。
【００２０】
図１は、本発明の様々な実施例が実施されることができる一例の環境１００を示す。環境１００は、２つの無線接続網、例えばＵＴＲＡＮとＥ−ＵＴＲＡＮ網を含む。環境１００において、前記方法が３Ｇ網と４Ｇ網を利用して説明されるが、本発明の範囲が３Ｇと４Ｇに限定されるものではない。したがって、前記方法は、その他の網とともに説明されることができる。また、前記環境１００は、前記方法を行うために、多いかまたは少ない数のシステム要素を含むことができる。
【００２１】
一実施例において、前記環境１００は、Ｓｉｎｇｌｅ  Ｒａｄｉｏ  Ｖｏｉｃｅ  Ｃａｌｌ  Ｃｏｎｔｉｎｕｉｔｙ（ＳＲ−ＶＣＣ）基盤のための一般的な構造を示す。環境１００において、第１無線接続網１０４（またはソースセル）内のユーザ端末（ＵＥ）１０２は、Ｅ−ＵＴＲＡＮ  Ｕｕインターフェースを利用してＥ−ＵＴＲＡＮ １０６に接続する。前記Ｅ−ＵＴＲＡＮ １０６は、複数のｅＮｏｄｅＢエンティティー（図示せず）で構成される。前記複数のｅＮｏｄｅＢエンティティーは、Ｓ１−ＭＭＥインターフェースを利用して移動性管理エンティティー（Mobile  Management Entity；ＭＭＥ）１０８に連結される。
【００２２】
一実施例において、ＵＥ １０２のユーザがＩＰマルチメディアザブシステム（ＩＭＳ）基盤の音声呼を開始すれば、前記音声呼は、ＳＲ−ＶＣＣ連続性と関連した応用サーバ（ＩＭＳ）内に固定される。一実施例において、ＩＭＳ基盤の音声呼のためのデータと信号経路は、Ｅ−ＵＴＲＡＮとサービング／ＰＤＮゲートウェー（ＧＷ）１１０間のＳ１−Ｕインターフェースを利用する。また、ＳＧｉインターフェースがサービング／ＰＤＮＧＷとＩＭＳ網エンティティー１１２との間で利用される。
【００２３】
環境１００において、ＵＥ １０２のユーザが呼進行中に１つの無線接続網（例えば、ソースセル１０４）から他の無線接続網（例えば、ターゲットセル１２０）に移動する時、ハンドオーバー（ＨＯ）が要求される。一実施例において、音声呼の進行中に、ＵＥ １０２がＥ−ＵＴＲＡＮ網１０４からＧＥＲＡＮ／ＵＴＲＡＮ網１２０に移動する時、Ｅ−ＵＴＲＡＮ網１０４からＧＥＲＡＮ／ＵＴＲＡＮ網１２０にＨＯが要求される。前記Ｅ−ＵＴＲＡＮは、ＰＳ（Packet Switched）網のみをサポートし、ＧＥＲＡＮ／ＵＴＲＡＮは、ＰＳとＣＳ（Circuit Switched）網をサポートする。したがって、前記ＵＥ １０２は、ＰＳ網からＰＳとＣＳをサポートする網に移動する。  
【００２４】
したがって、Ｅ−ＵＴＲＡＮ １０６内のｅＮｏｄｅＢは、単一無線音声呼連続性（ＳＲ−ＶＣＣ）ハンドオーバー（ＨＯ）がターゲットＧＲＥＡＮ／ＵＴＲＡＮ網１２０に行われるように要求される。また、ｅＮｏｄｅＢは、Ｓ１−ＭＭＥインターフェースを通じてＭＭＥ １０８にハンドオーバー要求メッセージを伝送する。一実施例において、ＭＭＥ １０８は、ターゲットセル１２０と関連した性能を受信する。例えば、ターゲットセルの性能は、ＵＲＡＮ／ＧＥＲＡＮ網の性能を含む。例えば、環境１００において、前記ターゲットセルは、ＰＳ網とＣＳ網である。
【００２５】
前記ＭＭＥ １０８は、ＨＯ手続進行中にＵＥ １０２に連結された音声ベアラーと非音声ベアラーを識別する。また、前記ＭＭＥ １０８は、Ｓｖインターフェースを通じて移動交換局（Mobile Switching Center；ＭＳＣ）サーバ１１６にメッセージを伝送することによって、ターゲットセル１２０のＣＳドメインに音声ベアラーのハンドオーバーを開始する。前記ＭＳＣサーバ１１６は、ＩＭＳ応用サーバにセッション伝達要請を伝送することによって、ＩＭＳ階層のセッション伝達を誘発する。
【００２６】
その後、前記ＭＭＥ １０８は、前記非音声ベアラーを管理する。一実施例において、前記ＭＭＥ １０８は、前記ターゲットセル１２０であるＣＳとＰＳ網の両方をサポートし、デュアル伝送モード（Dual Transfer Mode；ＤＴＭ）ハンドオーバーもサポートする場合、非音声ベアラーに対するＰＳ−ＰＳハンドオーバーを開始する。他の実施例において、前記ＭＭＥ １０８は、前記第２無線接続網のターゲットセルがＣＳとＰＳ網をサポートするが、ＤＴＭをサポートしない場合、非音声ベアラーを中止（suspend）する。さらに他の実施例において、前記ＭＭＥ １０８は、前記ターゲットセルがＰＳ網をサポートしない場合、前記非音声ベアラーを不活性化させる。
【００２７】
一実施例において、非音声ベアラーのＰＳ−ＰＳハンドオーバーのために、前記ＭＭＥ １０８は、Ｓ３インターフェースを通じてＳＧＳＮ １１４にメッセージを伝送する。一旦、ターゲットセル１２０内でセッション伝送が開始され、ハンドオーバー準備が完了すれば、前記ＭＭＥ １０８は、ｅＮｏｄｅＢを通じてＵＥ １０２にＨＯ命令を伝送する。ＨＯ命令の受信時、前記ＵＥ １０２は、ターゲットセル資源に移動する。前記ターゲットセル１２０は、ＵＥ １０２の存在を検出する。一実施例において、ＵＴＲＡＮ／ＧＥＲＡＮ １１８は、Ｉｕ−ｃｓ／Ａインターフェースを通じてターゲットＭＳＣサーバ１１６に、そしてＩｕ−ｐｓ／Ｇｂインターフェースを通じてターゲットＳＧＳＮ １１４にＨＯについて通知する。また、前記ＭＳＣサーバ１１６及びＳＧＳＮ １１４は、前記ＭＭＥ １０８にＳｖ及びＳ３インターフェースを通じて各々ハンドオーバー完了を通知する。その後、前記ＭＭＥ １０８は、ソースセル１０４でＵＥ １０２のために予約された資源を回収する。
【００２８】
図２は、本発明の一実施例による第１無線接続網２００の第１網要素を示す。第１網要素を図１を参照して説明する。しかし、本実施例が本発明の他の適切な実施例とともに説明されることができることは当業者に自明だろう。
【００２９】
一実施例において、第１網要素は、４世代通信網に連結された通信装置が他の通信網に連結された通信装置と通信することができるノードである。一実施例において、第１網要素は、Ｅ−ＵＴＲＡＮ網内で通信を設定するために使用されるｅＮｏｄｅＢである。
【００３０】
環境１００で、第１網要素は、ユーザ端末（ＵＥ）、例えば、Ｅ−ＵＴＲＡＮ網１０４に連結されるＵＥ １０２と連結される。前記第１網要素は、１つの送受信機２０２と１つのプロセッサ２０４を含む。
【００３１】
前記第１網要素の送受信機２０２は、ＵＥから１つまたはそれ以上の隣接セルと関連した情報を受信する。一実施例において、前記送受信機２０２はＵＥ １０２から１つまたはそれ以上の隣接セルと関連した測定報告を受信する。一実施例において、前記測定報告は、１つまたはそれ以上の隣接セルと関連した信号の強さ及び／または資源利用可能性を含む。
【００３２】
前記第１網要素のプロセッサ２０４は、前記測定報告を基に、ＵＥに対する第１無線接続網から第２無線接続網へのハンドオーバー（ＨＯ）実行を決定する。例えば、前記プロセッサ２０４は、前記測定報告を基にＵＥ １０２に対する第１無線接続網１０４から第２無線接続網１２０へのハンドオーバー（ＨＯ）実行を決定する。その後、前記プロセッサ２０４は、前記測定報告によって提供される１つまたはそれ以上の隣接セルからターゲットセルを識別する。
【００３３】
一実施例において、１つまたはそれ以上の隣接セルは、ＵＥ １０２によってハンドオーバー手続を行うために利用可能な１つまたはそれ以上のセルである。したがって、前記１つまたはそれ以上の隣接セルは、前記ＵＥ １０２が第１無線接続網１０４のカバレッジ領域を脱して移動する時、ＵＥ １０２周辺で利用可能な１つまたはそれ以上のセルである。一実施例において、前記ターゲットセルは、前記ＵＥに対してＨＯ手続を実行するために選択されたセルである。
【００３４】
また、前記プロセッサ２０４は、ターゲットセル性能を判断する。一実施例において、前記プロセッサは、前記ターゲットセル性能を基にＨＯが可能なベアラーのリストとＨＯが不可能なベアラーのリストを識別する。一実施例において、前記ターゲットセル性能は、ターゲットセルの網サポート性能である。例えば、前記ターゲットセル性能は、前記ターゲットセルがＣＳ網のみをサポートするか、ＣＳとＰＳ＿ＵＴＲＡＮ網の両方をサポートするか、ＤＴＭサポート及びＤＴＭハンドオーバーサポートと一緒にＣＳとＰＳ ＧＥＲＡＮ網をサポートするか、ＤＴＭサポートとＰＳハンドオーバーサポート無しにＣＳとＰＳ ＧＥＲＡＮ網をサポートするか、またはＤＴＭとＰＳハンドオーバーサポート無しにＣＳとＰＳ ＧＥＲＡＮ網をサポートするかに関する情報を含む。
【００３５】
その後、前記送受信機２０２は、前記ターゲットセル性能とともにハンドオーバー要求メッセージ及び位置再確認要求メッセージのうち少なくとも１つを伝送する。一実施例において、前記送受信機は、ＨＯが可能なベアラーのリストを伝送する。一実施例において、前記ハンドオーバー要求メッセージは、ターゲットセル性能とともにコア網要素に伝送される。他の実施例において、位置再確認要求メッセージは、ターゲットセル性能とともにコア網に伝送される。
【００３６】
図３は、本発明の一実施例によるコア網要素を示している。前記コア網要素を図１を参照して説明する。しかし、本実施例が本発明の他の適切な実施例とともに説明されることができることは当業者に自明だろう。一実施例において、前記コア網要素は、ユーザ端末（ＵＥ）がハンドオーバー（ＨＯ）手続を行うことができるようにする。一実施例において、前記コア網要素は、移動性管理エンティティー（ＭＭＥ）である。他の実施例において、前記コア網要素は、ＧＰＲＳサポートノード（ＳＧＳＮ）である。例えば、環境１００において、前記コア網要素は、ＭＭＥ １０８またはＳＧＳＮ １１４である。
【００３７】
前記コア網要素は、１つの送受信機３０２と１つのプロセッサ３０４を含む。前記コア網要素の送受信機３０２は、ターゲットセル性能とともにハンドオーバー要求メッセージ及び位置再確認要求メッセージのうち少なくとも１つを受信する。一実施例において、前記ハンドオーバー要求メッセージは、第１網要素からターゲットセル性能とともに受信される。他の実施例において、前記位置再確認要求メッセージは、前記第１網要素からターゲットセル性能とともに受信される。環境１００において、前記ハンドオーバー要求メッセージは、Ｅ−ＵＴＲＡＮ １０６に連結されたｅＮｏｄｅＢからターゲットセル性能とともに受信される。
【００３８】
前記コア網要素のプロセッサ３０４は、音声ベアラーと非音声ベアラーを分割する。一実施例において、前記非音声ベアラーと音声ベアラーは、第１網要素から受信したベアラーリストから分離される。また、前記プロセッサ３０４は、ターゲットセル性能を基に音声ベアラーと非音声ベアラーのためのハンドオーバー（ＨＯ）を管理する。
【００３９】
一実施例において、前記コア網要素は、１つのメモリ３０６を含む。前記コア網要素のメモリ３０６は、データベースに１つまたはそれ以上のセルに対する性能を保存する。一実施例において、前記メモリ３０６は、コア網要素内に設定される。他の実施例において、前記メモリ３０６は、前記コア網要素に外的に連結される。一実施例において、前記メモリ３０６は、揮発性メモリである。他の実施例において、前記メモリ３０６は、非揮発性メモリである。環境１００において、前記メモリ３０６のデータベースは、ホーム加入者サーバ（Home Subscriber Server；ＨＳＳ）１２２と連動する。
【００４０】
一実施例において、前記送受信機３０２は、第１無線接続網から第２無線接続網へのＨＯを行うためのターゲットセルと関連した情報とともにハンドオーバー要求メッセージ及び位置再確認メッセージのうち少なくとも１つを受信する。前記プロセッサ３０４は、データベースからターゲットセルと関連した性能を識別する。例えば、ターゲットセル情報を受信した後、前記プロセッサ３０４は、前記ターゲットセルと前記メモリ３０６内に登録された１つまたはそれ以上のセルとマッチさせる。その後、前記プロセッサは、前記メモリ３０６に保存された性能からターゲットセル性能を識別する。また、前記プロセッサ３０４は、前記メモリ３０６に保存されたターゲットセル性能を基に音声ベアラーと非音声ベアラーのためのハンドオーバー（ＨＯ）を管理する。
【００４１】
図４は、本発明の一実施例による第１無線接続網から第２無線接続網へのハンドオーバーを管理する方法を示すフローチャートである。一実施例において、前記方法は、第１無線接続網の第１無線網要素によって行われる。前記方法を図１を参照して説明する。しかし、本実施例が本発明の他の適切な実施例とともに説明されることができることは当業者に自明だろう。前記方法４００は、図４に示された段階より多いかまたは少ない数の段階を含むことができる。また、前記段階の順序は、変更されてもよい。
【００４２】
段階４０２で、方法４００が始まる。一実施例において、前記方法は、第１網要素で開始される。一実施例において、前記第１網無線接続網の第１網要素は、ｅＮｏｄｅＢ、ＮｏｄｅＢ、または無線網制御機（Radio Network Controller；ＲＮＣ）である。第１網要素の一例として、ｅＮｏｄｅＢ（例えば、Ｅ−ＵＴＲＡＮ １０６のｅＮｏｄｅＢ）を含むが、これに限定されるものではない。段階４０４で、１つまたはそれ以上の隣接セルと関連した情報は、ユーザ端末（ＵＥ）から受信される。１つまたはそれ以上の隣接セルと関連した情報は、測定報告である。一実施例において、前記測定報告は、１つまたはそれ以上の隣接セルと関連した信号の強さと資源の利用可能性を含む。
【００４３】
段階４０６で、前記方法は、前記測定報告を基にＵＥに対して第１無線接続網から第２無線接続網へのハンドオーバー（ＨＯ）実行を決定する。例えば、前記方法は、前記測定報告を基にＵＥ １０２に対して第１無線接続網１０４から第２無線接続網１２０でのハンドオーバー（ＨＯ）実行を決定する。
【００４４】
一実施例において、前記第１無線接続網は、パケット交換（ＰＳ）網である。一実施例において、前記第２無線接続網は、サーキット交換（ＣＳ）網である。他の実施例において、前記第２無線接続網は、二重伝送モード（ＤＴＭ）をサポートするＣＳ網とＰＳ網である。他の実施例において、前記第２無線接続網は、ＣＳとＰＳを同時にサポートするＵＴＲＡＮである。さらに他の実施例において、前記第２無線接続網は、ＤＴＭをサポートしないＣＳ網とＰＳ網である。
【００４５】
一実施例において、前記第１無線接続網は、４世代移動無線通信システムである。一実施例において、前記第１無線接続網は、Ｅ−ＵＴＲＡＮ（Enhanced Universal Terrestrial Radio Access Network）またはＵＴＲＡＮである。一実施例において、前記第２無線接続網は、３世代移動無線通信システムまたは２世代移動無線通信システムである。一実施例において、前記第２無線接続網は、ＵＴＲＡＮまたはＧＰＲＳ ＥＤＧＥ ＲＡＮ（ＧＥＲＡＮ）である。
【００４６】
段階４０８で、前記方法は、測定報告に対して条件的に１つまたはそれ以上の隣接セルから第１無線接続網内のターゲットセルを識別する。前記ターゲットセルは、ハンドオーバー手続が開始されるセルである。
【００４７】
段階４１０で、前記方法は、ターゲットセル性能を判断する。一実施例において、前記ターゲットセル性能は、ターゲットセルの網サポート性能である。例えば、環境１００において、前記ターゲットセル性能は、ターゲットセル１２０の性能である。その後、４１２段階で、前記方法は、ターゲットセル性能とともにハンドオーバー要求メッセージ及び位置再確認要求メッセージのうち少なくとも１つをコア網要素に伝送する。
【００４８】
一実施例において、前記コア網要素は、移動性管理エンティティー（ＭＭＥ）である。他の実施例において、上記コア網要素は、サービング一般パケット無線サービス（ＧＰＲＳ）サポートノード（ＳＧＳＮ）である。一実施例において、また、前記方法は、単一無線音声呼連続ハンドオーバー（ＳＲＶＣＣ）動作に対するコア網要素を指示する。前記ＳＲ−ＶＣＣ動作は、ＩＭＳ内で連結される呼のためのＰＳ接続網とＣＳ接続網を通じてＩＭＳ間の音声呼連続性のために利用される。前記ＳＲＶＣＣは、ＵＥが与えられた時間に接続網のうちただ１つで送受信を行うことができる時に使用される。
【００４９】
一実施例において、また、前記方法４００は、コア網要素が音声ベアラーと非音声ベアラーを管理することができるようにする。一実施例において、前記コア網要素は、ターゲットセル性能、音声ベアラーと関連したサービス品質水準指示子（Quality of Service Class Identifier；ＱＣＩ）、及び／またはＳＲＶＣＣハンドオーバー指示子を基に音声ベアラーと非音声ベアラーを分離する。一実施例において、前記ＱＣＩは、コア網要素に前記ベアラーが音声呼に属することを通知する。
【００５０】
一実施例において、前記方法は、ターゲットセル性能を基に第１無線接続網から第２無線接続網への音声ベアラーハンドオーバーを継続する。一実施例において、前記第１無線接続網は、ＰＳ網であり、前記第２無線接続網は、少なくともＣＳ網である。したがって、本実施例において、前記音声ベアラーのＨＯは、ＰＳ網からＣＳ網に開始される。また、前記方法は、ターゲットセル性能を基に非音声ベアラーの使用を中止または不活性化させる。
【００５１】
例えば、ターゲットセルがＣＳ網をサポートするが、ＰＳ網とＤＴＭをサポートしない時、前記方法は、非音声ベアラーを不活性化させる。また、ターゲットセルがＣＳ網とＰＳ網をサポートするが、ＤＴＭはサポートしない時、前記方法は、非音声ベアラーの使用を中止（suspend）させる。したがって、前記使用が中止された非音声ベアラーは、音声ベアラーのためのＨＯが完了し、ＵＥがターゲット側に移動する時に再開されることができる。
【００５２】
一実施例において、音声ベアラーと非音声ベアラーのＨＯは、ターゲットセル性能を基に第１無線接続網から第２無線接続網へ続く。一実施例において、第１無線接続網は、ＰＳ網であり、第２無線接続網は、ＣＳ網またはＰＳ網である。
【００５３】
したがって、本実施例において、前記方法は、音声ベアラーのためのＰＳからＣＳへのハンドオーバーを開始し、非音声ベアラーのためのＰＳからＰＳへのハンドオーバーを開始する。これにより、第１無線接続網内でＰＳ網と関連した音声ベアラーは、第１無線接続網内のＣＳ網に連結される。また、第１無線接続網内でＣＳ網に連結される非音声ベアラーは、第２無線接続網内のＰＳ網に連結される。段階４１４で、前記方法が終了する。
【００５４】
図５は、本発明の一実施例による第１無線接続網から第２無線接続網へのハンドオーバーを管理する方法を示すフローチャートである。方法５００を図１を参照して説明する。しかし、本実施例が本発明の他の適切な実施例とともに説明されることができることは当業者に自明だろう。方法５００は、図５に示された段階より多いかまたは少ない数の段階を含むことができる。前記段階の順序は、変更されてもよい。一実施例において、前記方法は、コア網要素によって行われる。
【００５５】
段階５０２で、前記方法が開始される。段階５０４で、前記方法は、ターゲットセル性能とともにハンドオーバー要求メッセージ及び位置再確認要求メッセージのうち少なくとも１つを受信する。一実施例において、前記方法は、コア網要素で行われる。コア網要素の例として、移動性管理エンティティー（ＭＭＥ）とＧＰＲＳサポートノード（ＳＧＳＮ）が含まれることができるが、これに限定されるものではない。
【００５６】
一実施例において、ハンドオーバー要求メッセージまたは位置再確認要求メッセージは、第１網要素（例えばＥ−ＵＴＲＡＮ網のｅＮｏｄｅＢ）からターゲットセル性能とともに受信される。段階５０６で、前記方法は、音声ベアラーと非音声ベアラーを分離する。一実施例において、前記音声ベアラーと非音声ベアラーは、音声ベアラーと関連したサービス品質水準識別子（ＱＣＩ）とＳＲＶＣＣハンドオーバー指示子を基に分離される。
【００５７】
一実施例において、前記音声及び非音声ベアラーは、ターゲットセル性能とともにユーザ端末に関連したすべての活性ベアラー（音声及び非音声）のリストから抽出される。例えば、コア網要素（例えば、ＭＭＥ １０８）は、Ｅ−ＵＴＲＡＮ １０６内のｅＮｏｄｅＢからターゲットセル１２０の性能とともにすべての活性ベアラーのリストを受信する。
【００５８】
その後、段階５０８で、前記方法は、ターゲットセル性能を基に音声ベアラーと非音声ベアラーのためのＨＯを管理する。一実施例において、前記方法は、ターゲットセル性能を基に第１無線接続網から第２無線接続網への音声ベアラーのＨＯを継続し、非音声ベアラーを中断または不活性させる。他の実施例において、前記方法は、ターゲットセル性能を基に第１無線接続網から第２無線接続網へ音声ベアラーと非音声ベアラーのＨＯを継続する。段階５１０で、前記方法は終了する。
【００５９】
図６は、本発明の他の実施例による第１無線接続網から第２無線接続網へのハンドオーバーを管理する方法を示すフローチャートである。前記方法６００を図１を参照して説明する。しかし、本実施例が本発明の他の適切な実施例とともに説明されることができることは当業者に自明だろう。また、方法６００は、図６に示された段階より多いかまたは少ない数の段階を含むことができる。前記段階の順序は、変更されてもよい。一実施例において、前記方法は、第１網要素によって行われる。一実施例において、前記方法は、第１無線接続網の第１網要素によって行われる。一実施例において、前記方法は、Ｅ−ＵＴＲＡＮ １０６内のｅＮｏｄｅＢによって行われる。
【００６０】
段階６０２で、前記方法が開始される。段階６０４で、１つまたはそれ以上の隣接セルと関連した情報がユーザ端末（ＵＥ）から受信される。前記１つまたはそれ以上の隣接セルと関連した情報は、測定報告である。一実施例において、前記測定報告は、前記１つまたはそれ以上の隣接セルに関連した信号の強さと資源の利用可能性を含む。
【００６１】
段階６０６で、前記方法は、前記測定報告を基にユーザ端末（ＵＥ）、例えばＵＥ １０２に対して第１無線接続網から第２無線接続網へのハンドオーバー（ＨＯ）実行を判断する。一実施例において、前記第１無線接続網は、パケット交換（ＰＳ）網であり、前記第２無線接続網は、少なくともサーキット交換（ＣＳ）網である。
【００６２】
例えば、前記第１無線接続網は、Ｅ−ＵＴＲＡＮ（Enhanced Universal Terrestrial Radio Access Network）またはＵＴＲＡＮであり、前記第２無線接続網は、ＵＴＲＡＮまたはＧＥＲＡＮ（ＧＰＲＳ ＥＤＧＥ ＲＡＮ）である。
【００６３】
段階６０８で、前記方法は、前記測定報告によって提供される１つまたはそれ以上の隣接セルから第２無線接続網内のターゲットセルを識別する。前記ターゲットセルは、ＨＯ手続が開始される対象となるセルである。段階６１０で、前記方法は、ターゲットセル性能を終了する。一実施例において、ターゲットセル性能は、ターゲットセルの網サポート能力である。
【００６４】
段階６１２で、ハンドオーバーが行われるベアラーのリストは、ターゲットセル性能を基に決定される。段階６１４で、ベアラーリストは、ベアラーリストに対するＨＯ手続実行のためにコア網要素に伝送される。例えば、ベアラーリストは、ｅＮｏｄｅＢによって移動性管理エンティティー（ＭＭＥ）やサービングＧＰＲＳサポートノード（ＳＧＳＮ）、例えば、ＭＭＥ １０８またはＳＧＳＮ １１４に伝送される。
【００６５】
一実施例において、ベアラーリストは、ターゲットセル性能を基とした音声ベアラーのリストのみを含む。一実施例において、前記方法は、ターゲットセル性能を基に非音声ベアラーを中止するかまたは不活性化する。一実施例において、ベアラーリストは、ターゲットセル性能を基盤とした音声ベアラーと非音声ベアラーの統合リストを含む。
【００６６】
例えば、ターゲットセルが、ＣＳ網をサポートし、ＰＳ網と二重伝送モード（ＤＴＭ）をサポートしない時、前記方法は、非音声ベアラーを不活性化し、音声ベアラーのリストのみを伝送する。同様に、前記ターゲットセルが、ＣＳ網とＰＳ網をサポートするが、ＤＴＭをサポートしない時、前記方法は、非音声ベアラーの使用を中止し、音声ベアラーのリストを伝送し、あらかじめ定められた時間間隔で非音声ベアラーの使用を中止させる。したがって、使用が中止された非音声ベアラーは、音声ベアラーに対するＨＯが完了する時に再開される。他の実施例において、ターゲットセルがＣＳ網とＰＳ網であり、且つＤＴＭをサポートする時、音声ベアラーリストと非音声ベアラーリストがコア網要素に伝送される。段階６１６で、前記方法が終了する。
【００６７】
図７は、本発明の他の実施例による第１無線接続網から第２無線接続網へのハンドオーバーを管理する方法を示すフローチャートである。方法７００を図１を参照して説明する。しかし、本実施例が本発明の他の適切な実施例とともに説明されることができることは当業者に自明だろう。また、方法７００は、図７に示された段階より多いかまたは少ない数の段階を含むこともできる。段階の順序は、変更されてもよい。一実施例において、前記方法は、コア網要素で行われる。
【００６８】
段階７０２で、前記方法７００が開始される。段階７０４で、前記方法７００は、データベースに１つまたはそれ以上のセルの性能を保管する。一実施例において、１つまたはそれ以上のセルの性能はメモリに保存される。一実施例において、前記メモリは、コア網要素内に設置される。他の実施例において、前記メモリは、コア網要素に外的に連結される。環境１００において、メモリ内のデータベースは、ホーム加入者サーバ（ＨＳＳ）１２２と連動する。
【００６９】
段階７０６で、前記方法は、第１無線接続網から第２無線接続網へのＨＯを行うために、ターゲットセルと関連した情報とともにハンドオーバー要求メッセージ及び位置再確認要求メッセージのうち少なくとも１つを受信する。段階７０８で、ターゲットセル性能がデータベース内に保存された１つまたはそれ以上のセルの性能から識別される。例えば、ターゲットセル情報の受信後、前記方法は、ターゲットセルをデータベースに登録された１つまたはそれ以上のセルとマッチさせる。また、前記方法は、ターゲットセルとマッチされるセルと関連したデータベース内に保管された性能を識別する。
【００７０】
その後、段階７１０で、前記方法は、データベースに保存されたターゲットセル性能を基に音声ベアラーと非音声ベアラーに対するＨＯを管理する。段階７１２で、前記方法が終了する。
【００７１】
図８は、本発明の一実施例による第１無線接続網から第２無線接続網へのハンドオーバーを管理するための方法を示すシグナルフローダイアグラムである。方法８００を図１を参照して説明する。しかし、本実施例が本発明の他の適切な実施例とともに説明されることができることは当業者に自明だろう。
【００７２】
環境１００において、ＵＥ １０２は、１つまたはそれ以上の隣接セルの測定報告を周期的に判断する。段階８０２で、ＵＥ １０２は、測定報告をソースＥ−ＵＴＲＡＮ １０６に伝送する。段階８０４で、前記方法でＥ−ＵＴＲＡＮ １０６がＨＯに対する決定をするようになる。ソースＥ−ＵＴＲＡＮ １０６は、ＵＥ １０２から受信した測定報告に対して条件的にＨＯが行われる対象である第１無線接続網内のターゲットセルを識別する。また、Ｅ−ＵＴＲＡＮは、ターゲットセル性能を識別する。段階８０６で、ターゲットセル性能とともにハンドオーバー要求メッセージ及び位置再確認要求メッセージのうち少なくとも１つがソースＭＭＥ １０８に伝送される。
【００７３】
段階８０８で、ＭＭＥ １０８は、音声ベアラーと非音声ベアラーを管理する。一実施例において、コア網要素は、ターゲットセル性能、音声ベアラーと関連したサービス品質水準識別子（ＱＣＩ）、及びＳＲＶＣＣハンドオーバー指示子を基に音声ベアラーと非音声ベアラーを分離する。一実施例において、前記方法は、ターゲットセル性能を基にソース無線接続網Ｅ−ＵＴＲＡＮ １０６から第２無線接続網８１０へのＨＯを継続する。一実施例において、ソース無線接続網は、ＰＳ網であり、ターゲット無線接続網は、単純なＣＳ網である。したがって、本実施例において、音声ベアラーのＨＯは、パケット交換（ＰＳ）網からサーキット交換（ＣＳ）網に開始される。
【００７４】
他の実施例において、非音声ベアラーは、ターゲットセル性能を基に使用が中止されるか、または不活性化される。例えば、ターゲットセルが、ＣＳ網をサポートし、ＰＳ網と二重伝送モード（ＤＴＭ）をサポートしない時、前記方法は、非音声ベアラーを不活性化する。また、ターゲットセルが、ＣＳ網とＰＳ網をサポートするが、ＤＴＭをサポートしない時、前記方法は、非音声ベアラーの使用を中止する。したがって、使用を中止された非音声ベアラーは、音声ベアラーに対するＨＯが完了し、ユーザ端末がターゲット側に移動する時に再開できる。
【００７５】
一実施例において、音声ベアラーと非音声ベアラーのＨＯは、ターゲットセル性能を基にソース無線接続網１０４から第２無線接続網８１０に続く。一実施例において、第１無線接続網は、ＰＳ網であり、第２無線接続網は、ＣＳ網及びＰＳ網である。したがって、本実施例において、前記方法は、音声ベアラーに対してパケット交換（ＰＳ）網からサーキット交換（ＣＳ）網へのＨＯを、そして非音声ベアラーに対してパケット交換（ＰＳ）網からパケット交換（ＰＳ）網へのＨＯを開始する。
【００７６】
段階８１２で、ＨＯ準備と資源予約が行われる。また、ＩＭＳを伴うセッション伝送準備も行われる。段階８１４で、ＭＭＥ １０８は、ＨＯ命令をＵＥ １０２に伝送する。例えば、セッション送信が開始され、ターゲットセルでハンドオーバー準備が完了すれば、ＭＭＥ １０８は、ＵＥ １０２にＨＯ命令を伝送する。段階８１６で、前記方法は、ＭＭＥ １０８からメッセージを受信した後、ターゲットセルを調整（tune）する。したがって、ＨＯ命令が受信されれば、ＵＥ １０２は、ターゲットセル側に移動する。段階８１８で、ターゲット側は、ＵＥ １０２の存在を検出する。また、段階８２０で、ターゲット側は、ＭＭＥ １０８にハンドオーバー完了を通知する。その後、ＭＭＥ １０８は、ソースセル１０４でＵＥ １０２のために予約された資源を回収する。
【００７７】
前述した本発明の様々な実施例は、次のような長所を提供する。本発明は、多数の無線接続網でハンドオーバー（ＨＯ）を管理する方法を提供する。本発明は、ユーザが呼進行中に断絶なく１つの無線接続網から他の無線接続網に移動することができるようにする。また、前記方法は、現存の無線網に影響を与えることなく、これにより、現存の無線接続網システムの変更なしに具現されることができる。
【００７８】
また、前記方法は、ハンドオーバー準備過程を最小化する。さらに、上位世代通信網（例えば、４世代無線接続網）から下位世代通信網（例えば、３世代無線接続網）へのＨＯが、サービス品質に影響を与えることなく、容易に行われる。
【００７９】
また、前記方法は、パケット交換（ＰＳ）網のみをサポートする無線接続網からサーキット交換（ＣＳ）及び／またはＰＳをサポートする他の無線接続網へのＨＯ中にに効率的な互換性を提供する。さらに、前記方法は、ＨＯ過程で音声ベアラーと非音声ベアラーを効果的に管理する。前記方法は、ターゲットセルによって管理されることができる音声ベアラーのリストをあらかじめ識別する。したがって、ＨＯ過程の全体オーバーヘッドが効果的に減少し、無線接続網の効率性が増加するようになる。
【００８０】
一方、本発明の詳細な説明では、具体的な実施例について説明したが、本発明の範囲から脱しない範囲内で様々な変形が可能であることは勿論である。したがって、本発明の範囲は、前述の実施例に限定されるものではなく、後述する特許請求範囲だけでなく、この特許請求範囲と均等なものなどによって定められるべきである。
【符号の説明】
【００８１】
１０２  ＵＥ
１０４  Ｅ−ＵＴＲＡＮ網
１０６  Ｅ−ＵＴＲＡＮ
１０８  ＭＭＥ
１１０  サービング／ＰＤＮゲートウェー（ＧＷ）
１１２  ＩＭＳ網エンティティー
１１４  ＳＧＳＮ
１１６  ＭＳＣサーバ
１１８  ＵＴＲＡＮ／ＧＥＲＡＮ
１２０  ＵＴＲＡＮ／ＧＥＲＡＮ網１２２  ＨＳＳ
【図１】
0005411263.tif 000002
【図２】
0005411263.tif 000003
【図３】
0005411263.tif 000004
【図４】
0005411263.tif 000005
【図５】
0005411263.tif 000006
【図６】
0005411263.tif 000007
【図７】
0005411263.tif 000008
【図８】
0005411263.tif 000009